(57)【要約】【課題】気流の通風抵抗を増やさずに送風ファンに対して微粒子の付着を効果的に防止することができる空気調和機を提供する。【解決手段】空気調和機の筐体２６は気流の通路８１を形成する。通路８１内には帯電電極７３が配置される。帯電電極７３は気流に放電して気流中の物質を帯電させる。送風ファン２４は、通路８１内で気流の流通方向に沿って帯電電極７３の下流に配置され、少なくとも部分的に表面に導電材７６を有する。送風ファン２４の導電材７６に電圧源７８が接続される。電圧源７８は、導電材７６に放電と同極性の電圧を供給する。【選択図】図５
2015188785.tif 000002
【特許請求の範囲】
【請求項１】
気流の通路を形成する筐体と、
前記通路内に配置されて前記気流に放電して前記気流中の物質を帯電させる帯電電極と、
前記通路内で前記気流の流通方向に沿って前記帯電電極の下流に配置され、少なくとも部分的に表面に導電材を有する送風ファンと、
前記送風ファンの前記導電材に接続されて、前記導電材に前記帯電電極による放電と同極性の電圧を供給する電圧源と
を備えることを特徴とする空気調和機。
【請求項２】
請求項１に記載の空気調和機において、前記通路内かつ前記帯電電極の下流側に配置されて、少なくとも部分的に前記導電材に向き合わせられる導電材を有する集塵電極をさらに備えることを特徴とする空気調和機。
【請求項３】
請求項２に記載の空気調和機において、前記集塵電極は、前記通路内で前記気流の流通方向に沿って前記送風ファンの上流に配置される導電材を有する熱交換器であることを特徴とする空気調和機。
【請求項４】
請求項３に記載の空気調和機において、前記通路内で重力方向に前記熱交換器の下方に配置されて、前記熱交換器の表面から落下する水滴を受け止めるドレンパンをさらに備えることを特徴とする空気調和機。
【発明の詳細な説明】
【技術分野】
【０００１】
本発明は空気調和機等に関する。
【背景技術】
【０００２】
例えば特許文献１に開示されるように、空気調和機には一般にプレフィルタが組み込まれる。プレフィルタは気流から塵埃を除去する。熱交換器では塵埃の堆積は防止される。
【先行技術文献】
【特許文献】
【０００３】
【特許文献１】特許第４２７０２３４号公報
【発明の概要】
【発明が解決しようとする課題】
【０００４】
プレフィルタのメッシュよりも大きい塵埃はプレフィルタのメッシュシートに絡め捕られる。その一方で、メッシュよりも小さい塵埃などの微粒子はメッシュシートをすり抜ける。微粒子は送風ファンに付着する。送風ファンは汚れてしまう。メッシュシートのメッシュが微小化すればメッシュシートを通り抜ける気流の清浄度は高まるものの、気流の通風抵抗が著しく増大し空気調和機の冷房機能や暖房機能は低下してしまう。
【０００５】
本発明のいくつかの態様によれば、気流の通風抵抗を増やさずに送風ファンに対して微粒子の付着を効果的に防止することができる空気調和機は提供されることができる。
【課題を解決するための手段】
【０００６】
本発明の一形態は、気流の通路を形成する筐体と、前記通路内に配置されて前記気流に放電して前記気流中の塵埃などの物質を帯電させる帯電電極と、前記通路内で前記気流の流通方向に沿って前記帯電電極の下流に配置され、少なくとも部分的に表面に導電材を有する送風ファンと、前記送風ファンの前記導電材に接続されて、前記導電材に前記放電と同極性の電圧を供給する電圧源とを備える空気調和機に関する。
【０００７】
送風ファンが作動すると、通路内で気流が生成される。帯電電極から放電が行われると、気流中の塵埃などの微粒子は特定の極性で帯電する。送風ファンの導電材では帯電電極と同極性の電界が形成されることから、帯電した微粒子は送風ファンの導電材に跳ね返される。こうして送風ファンは微粒子の付着から免れられる。送風ファンに対して微粒子の付着は効果的に防止される。
【０００８】
空気調和機は、前記通路内に配置されて、少なくとも部分的に前記導電材に向き合わせられる導電材を有する集塵電極をさらに備えてもよい。帯電した微粒子は送風ファンに跳ね返された後に集塵電極に付着することができる。空気調和機は圧力損失を回避しながら効果的に微粒子を捕獲することができる。
【０００９】
前記集塵電極は、前記通路内で前記気流の流通方向に沿って前記送風ファンの上流に配置される導電材を有する熱交換器であればよい。筐体内にはもともと熱交換器が収容される。したがって、集塵電極の配置にあたって筐体内で新たな配置スペースが作り出される必要はない。集塵電極の追加配置にあたって筐体の大型化は回避されることができる。
【００１０】
空気調和機は、前記通路内で重力方向に前記熱交換器の下方に配置されて、前記熱交換器の表面から落下する水滴を受け止めるドレンパンをさらに備えてもよい。熱交換器の表面には冷房運転時などに結露が生じる。結露の水滴は熱交換器の表面の清掃に利用されることができる。こうした水滴はドレンパンで受け止められる。熱交換器に付着した微粒子は水滴とともに破棄されることができる。
【００１１】
前記集塵電極の前記導電材はグラウンドに接続されればよい。微粒子が導電材に付着すると、微粒子とグラウンドとの間で電荷がやりとりされる。導電材の帯電した態は解消される。こうして導電材が帯電電極と同極性の電位となることを防止できる。微粒子の付着量が増加しても、確実に新たな微粒子は導電材に付着していくことができる。仮に導電材でグラウンドと電荷をやりとりする経路が設けられていないと、電荷の付着量の増加に伴って導電材上で帯電電極と同極性の電位が生成され、同極性の反発力に応じて微粒子の付着は妨げられてしまう。
【００１２】
前記集塵電極は前記筐体に対して着脱自在に取り付けられてもよい。取り外された集塵電極は洗浄されることができる。こうして集塵電極に付着した微粒子は洗い流されることができる。
【発明の効果】
【００１３】
以上のように開示の空気調和機によれば、気流の通風抵抗を増やさずに送風ファンに対して微粒子の付着を効果的に防止することができる。
【図面の簡単な説明】
【００１４】
【図１】本発明の一実施形態に係る空気調和機の構成を概略的に示す概念図である。
【図２】第１実施形態に係る室内機の外観を概略的に示す斜視図である。
【図３】室内機の本体の構成を概略的に示す斜視図である。
【図４】室内機の構造を概略的に示す分解斜視図である。
【図５】室内機の本体の拡大垂直断面図である。
【図６】図５に対応し、第２実施形態に係る室内機の外観を概略的に示す拡大垂直断面図である。
【発明を実施するための形態】
【００１５】
以下、添付図面を参照しつつ本発明の一実施形態を説明する。
【００１６】
（１）空気調和機の構成
図１は本発明の一実施形態に係る空気調和機１１の構成を概略的に示す。空気調和機１１は室内機１２および室外機１３を備える。室内機１２は例えば建物内の室内空間に設置される。その他、室内機１２は室内空間に相当する空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【００１７】
冷凍回路１９は第１循環経路２１を備える。第１循環経路２１は四方弁１８の第１口１８ａおよび第２口１８ｂを相互に結ぶ。第１循環経路２１には、圧縮機１５が設けられている。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。冷媒配管は例えば銅管であればよい。
【００１８】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギーを交換する。室内熱交換器１４は、通過する冷媒と周囲の空気との間で熱エネルギーを交換する。第２循環経路２２は例えば銅管などの冷媒配管で形成されればよい。
【００１９】
室外機１３には送風ファン２３が組み込まれる。送風ファン２３は室外熱交換器１６に通風する。送風ファン２３は例えば羽根車の回転に応じて気流を生成する。気流は室外熱交換器１６を通り抜ける。通り抜ける気流の流量は羽根車の回転数に応じて調整される。
【００２０】
室内機１２には送風ファン２４が組み込まれる。送風ファン２４は室内熱交換器１４に通風する。送風ファン２４は羽根車の回転に応じて気流を生成する。送風ファン２４の働きで室内機１２には室内空気が吸い込まれる。室内空気は室内熱交換器１４を通り抜け冷媒と熱交換する。熱交換された冷気または暖気の気流は室内機１２から吹き出される。通り抜ける気流の流量は羽根車の回転数に応じて調整される。
【００２１】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２４の働きで室内空間に吹き出される。
【００２２】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は送風ファン２４の働きで室内空間に吹き出される。膨張弁１７で冷媒は低圧まで減圧される。減圧された冷媒は室外熱交換器１６で周囲の空気から吸熱する。その後、冷媒は圧縮機１５に戻る。
【００２３】
（２）第１実施形態に係る室内機の構成
図２は一実施形態に係る室内機１２の外観を概略的に示す。室内機１２の本体２６にはアウターパネル２７が覆い被さる。本体２６の下面には吹出口２８が形成される。吹出口２８は室内に向けて開口される。本体２６は例えば室内の壁面に固定されることができる。吹出口２８は、室内熱交換器１４で生成される冷気または暖気の気流を吹き出す。
【００２４】
吹出口２８には前後１対の上下風向板３１ａ、３１ｂが配置される。上下風向板３１ａ、３１ｂはそれぞれ水平軸線３２ａ、３２ｂ回りに回転することができる。回転に応じて上下風向板３１ａ、３１ｂは吹出口２８を開閉することができる。上下風向板３１ａ、３１ｂの角度に応じて、吹き出される気流の方向は変えられる。
【００２５】
図３に示されるように、本体２６には吸込口３３が形成される。吸込口３３は本体２６の正面および上面で開口する。アウターパネル２７は本体２６の正面で吸込口３３に覆い被さることができる。室内熱交換器１４に流入する空気は吸込口３３から取り込まれる。
【００２６】
吸込口３３には、吸込口３３の長手方向にわたって同形状のエアフィルタアセンブリ３４が複数配置される。エアフィルタアセンブリ３４はエアフィルタ３５および保持部３６を備える。エアフィルタ３５は保持部３６に保持される。保持部３６は枠体３７を有する。保持部３６は枠体３７で本体２６に固定される。保持部３６が本体２６にセットされると、エアフィルタ３５は吸込口３３の全面にわたって配置される。
【００２７】
保持部３６の枠体３７には後述するエアフィルタ３５の枠部を保持する前側のフィルタレール３８が設けられる。前側のフィルタレール３８に対応して本体２６には後側のフィルタレール３９が設けられる。フィルタレール３８、３９は一続きの経路を形成する。フィルタレール３８、３９は、エアフィルタ３５の左右両端をスライド可能に保持するよう、水平軸線３２ａ、３２ｂに直交する垂直面に沿って設けられる。エアフィルタ３５はフィルタレール３８、３９に沿って移動する。
【００２８】
図４に示されるように、本体２６には送風ファン２４が回転自在に支持される。送風ファン２４には例えばクロスフローファンが用いられる。送風ファン２４は水平軸線３２ａ、３２ｂに平行な回転軸４１回りで回転することができる。送風ファン２４の回転軸４１は本体の設置時の水平方向に延びる。送風ファン２４は吹出口２８に平行に配置される。送風ファン２４は回転軸４１回りで回転する。送風ファン２４の回転に応じて気流は室内熱交換器１４を通過する。その結果、冷気または暖気の気流が生成される。冷気または暖気の気流は吹出口２８から吹き出される。
【００２９】
室内熱交換器１４は前側体１４ａおよび後側体１４ｂを備える。前側体１４ａは送風ファン２４の前側から送風ファン２４の羽根に向き合わせられる。後側体１４ｂは送風ファン２４の後側から送風ファン２４の羽根に向き合わせられる。前側体１４ａおよび後側体１４ｂは上端で相互に連結される。前側体１４ａおよび後側体１４ｂは冷媒管４２ａを有する。冷媒管４２ａは水平方向に往復する。すなわち、冷媒管４２ａは、水平軸線３２ａ、３２ｂに平行に延び、本体２６の正面視左右端で折り返され、再び水平軸線３２ａ、３２ｂに平行に延び、再び本体２６の正面視左右端で折り返され、これらが繰り返される。冷媒管４２ａは第２循環経路２２の一部を構成する。冷媒管４２ａには複数の放熱フィン４２ｂが結合される。放熱フィン４２ｂは水平軸線３２ａ、３２ｂに直交しつつ相互に平行に広がる。冷媒管４２ａおよび放熱フィン４２ｂは例えば銅やアルミニウムといった金属材料から成形されることができる。冷媒管４２ａおよび放熱フィン４２ｂを通じて冷媒と空気との間で熱交換が実現される。
【００３０】
図４に示されるように、エアフィルタアセンブリ３４はフィルタ清掃ユニット４３を含む。フィルタ清掃ユニット４３は上ダストボックス４５および下ダストボックス４６を備える。上ダストボックス４５および下ダストボックス４６は保持部３６の枠体３７を有する。上ダストボックス４５はエアフィルタ３５の前面側に配置される。上ダストボックス４５はカバー４７を有する。カバー４７はボックス本体４８の塵埃貯留部４９を開閉可能に覆うように設けられている。下ダストボックス４６はエアフィルタ３５の後面側に配置される。上ダストボックス４５および下ダストボックス４６はエアフィルタ３５に対して水平方向に配置されている。エアフィルタ３５の清掃時、概ねエアフィルタ３５の前面の塵埃は上ダストボックス４５のボックス本体４８に回収され、エアフィルタ３５の後面の塵埃は下ダストボックス４６に回収される。
【００３１】
フィルタ清掃ユニット４３は第１従動ギア５１および第２従動ギア５２を備える。第１従動ギア５１は上ダストボックス４５に取り付けられる。第１従動ギア５１は水平軸５３回りで回転する。第１従動ギア５１は上ダストボックス４５内の後述する清掃ブラシを回転させる。第１従動ギア５１の歯は上ダストボックス４５の外面から少なくとも部分的に露出する。同様に、第２従動ギア５２は下ダストボックス４６に取り付けられる。第２従動ギア５２は水平軸５４回りで回転する。第２従動ギア５２は下ダストボックス４６の両端側に設けられており、後述するようにエアフィルタ３５を駆動する。第２従動ギア５２の歯は下ダストボックス４６の外面から部分的に露出する。エアフィルタアセンブリ３４が本体２６にセットされると、第１従動ギア５１は本体２６に搭載の第１駆動ギア（図示されず）に噛み合い、同様に第２従動ギア５２は本体２６に搭載の第２駆動ギア（図示されず）に噛み合う。第１駆動ギアおよび第２駆動ギアには個別に電動モータといった駆動源（図示されず）が連結される。個々の駆動源から供給される駆動力に応じて第１従動ギア５１および第２従動ギア５２は個別に回転する。
【００３２】
上ダストボックス４５の外面にはイオナイザ５５が固定される。イオナイザ５５の筐体５６は上ダストボックス４５のカバー４７に一体的に設けられればよい。イオナイザ５５の筐体５６には上下に開口５７が形成される。開口５７からイオンおよびオゾンは放出される。放出されたイオンおよびオゾンはアウターパネル２７とエアフィルタ３５との間の空間に分散する。イオナイザ５５は配線（図示されず）で本体２６内の図示しない制御部に電気的に接続される。イオナイザ５５の配線は着脱可能な電気接点を有しており、エアフィルタアセンブリ３４の取り付けおよび取り外しの際には、配線の結合および分断が行われる。配線を通じてイオナイザ５５には動作電力が供給される。
【００３３】
図５に示されるように、フィルタ清掃ユニット４３は清掃ブラシ６６を備える。清掃ブラシ６６は上ダストボックス４５内に収納される。清掃ブラシ６６はブラシ台座６７を備える。ブラシ台座６７は第１従動ギア５１からの駆動力により水平軸６８回りに回転することができる。ブラシ毛６９はブラシ台座６７の筒面上に所定の中心角範囲にわたって配置される。ブラシ毛６９の植毛範囲はブラシ台座６７の軸方向にエアフィルタ３５を横切る広がりを有する。清掃ブラシ６６は所定の回転位置でブラシ毛６９をエアフィルタ３５に接触させ当該回転位置以外ではブラシ毛６９をエアフィルタ３５から離脱させる。ブラシ毛６９がエアフィルタ３５に接触する状態で水平軸線３２ａ、３２ｂに直交する垂直面に沿った方向にエアフィルタ３５が移動すると、エアフィルタ３５の前面に付着した塵埃はブラシ毛６９に絡め捕られることができる。
【００３４】
フィルタ清掃ユニット４３はブラシ受け７１を備える。ブラシ受け７１は下ダストボックス４６内に収納される。ブラシ受け７１は受け面７２を有する。受け面７２は清掃ブラシ６６に向き合わせられる。ブラシ毛６９がエアフィルタ３５に接触する際に受け面７２はブラシ毛６９との間にエアフィルタ３５を挟み込む。その他、受け面７２にはブラシ毛が植毛されてもよい。
【００３５】
イオナイザ５５は帯電電極７３を有する。帯電電極７３は本体２６の帯電電極用高電圧電源７４から高電圧の供給を受けて空気中に放電する。放電によりイオンおよびオゾンが生成される。こうして生成されたイオンおよびオゾンがイオナイザ５５の開口５７から放出される。
【００３６】
送風ファン２４には駆動源７５が接続される。駆動源７５は例えば電動モータで構成されればよい。駆動源７５は回転軸４１回りに送風ファン２４の駆動力を付与する。駆動源７５は例えば本体２６に支持される。駆動源７５は、送風ファン２４の回転軸に連結される駆動軸を有すればよい。
【００３７】
送風ファン２４は少なくとも部分的に表面に導電材を有する。ここでは、クロスフローファンの胴や羽根の表面は導電材の被膜７６で覆われる。導電材には例えばアルミニウムやステンレスが用いられればよい。室内熱交換器１４は送風ファン２４の被膜７６に向き合わせられる。室内熱交換器１４はグラウンド７７に接続される。
【００３８】
被膜７６には電圧源７８が接続される。電圧源７８は例えば本体２６に支持されればよい。電圧源７８は導電材の被膜７６に帯電電極７３の放電と同極性の電圧を供給する。こうした電圧の供給に応じて送風ファン２４の被膜７６では帯電電極７３と同極性の電界が形成される。電圧源７８の電圧は例えば駆動源７５の駆動軸経由で被膜７６に供給されてもよい。
【００３９】
電圧源７８を被膜７６に電気的に接続するためには、例えば送風ファン２４の回転軸に電気接点を設ければよい。具体的には、駆動源７５の反対側に設けられた送風ファン２４の回転軸に接触する導電端子に電圧を与え、送風ファン２４の表面に設けられた被膜７６へ電圧が供給されるようにすればよい。
【００４０】
本体２６内にはドレンパン７９が収容される。ドレンパン７９は重力方向に室内熱交換器１４の下方に配置される。ドレンパン７９は室内熱交換器１４の表面から落下する水滴を受け止めることができる。ドレンパン７９にはドレン配管（図示されず）が接続される。ドレンパン７９の水はドレン配管を通じて本体２６の外部に導かれる。
【００４１】
本体２６内では吸込口３３から吹出口２８に向かって気流の通路８１が形成される。通路８１内では帯電電極７３の下流に送風ファン２４が配置される。室内熱交換器１４は通路８１内で送風ファン２４に向き合わせられる。室内熱交換器１４は通路８１内で気流の流通方向に沿って送風ファン２４の上流に配置される。室内熱交換器１４の上流には通路８１を横切る横断面８２（吸込口３３の上面後端側から全面下側）に沿ってエアフィルタ３５が配置される。エアフィルタ３５の上流側にはイオナイザ５５が配置される。
【００４２】
（３）室内機の動作
通常の冷房運転時や暖房運転時に送風ファン２４が作動すると、本体２６内では吸込口３３から吹出口２８に向かって通路８１に沿って気流が生成される。吸込口３３から吸引された空気はエアフィルタ３５を通過して室内熱交換器１４を通過する。熱交換器は気流と冷媒との間で熱交換を実施する。冷房運転時には空気は室内熱交換器１４で冷却されて吹出口２８から吹き出される。暖房運転時には空気は室内熱交換器１４で暖められて吹出口２８から吹き出される。こうして冷気や暖気は生成される。
【００４３】
帯電電極７３から放電が行われると、気流中の塵埃などの微粒子は特定の極性で帯電する。送風ファン２４では帯電電極７３と同極性の電界が形成されることから、帯電した微粒子は送風ファン２４で跳ね返される。こうして送風ファン２４は微粒子の付着から免れられる。送風ファン２４に対して微粒子の付着は効果的に防止される。
【００４４】
室内熱交換器１４の電位はグラウンドであるため、帯電した微粒子は送風ファン２４から跳ね返された後に室内熱交換器１４に付着することができる。こうして室内熱交換器１４の導電材は集塵電極として機能することができる。空気調和機は圧力損失を回避しながら効果的に微粒子を捕獲することができる。本体２６内にはもともと室内熱交換器１４が収容される。したがって、集塵電極の配置にあたって本体２６内で新たな配置スペースが作り出される必要はない。集塵電極の追加配置にあたって本体２６の大型化は回避されることができる。
【００４５】
室内熱交換器１４の表面には冷房運転時などに結露が生じる。結露の水滴は室内熱交換器１４の表面の清掃に利用されることができる。こうした水滴はドレンパン７９で受け止められる。室内熱交換器１４に付着した微粒子は水滴とともに破棄されることができる。
【００４６】
微粒子が室内熱交換器１４に付着すると、微粒子とグラウンドとの間で電荷がやりとりされる。微粒子の帯電した状態は解消される。こうして室内熱交換器１４が帯電電極７３と同極性の電位となることを防止できる。微粒子の付着量が増加しても、確実に新たな微粒子は室内熱交換器１４に付着していくことができる。仮に被膜７６でグラウンドと電荷をやりとりする経路が設けられていないと、電荷の付着量の増加に伴って被膜７６上で帯電電極７３と同極性の電位が生成され、同極性の反発力に応じて微粒子の付着は妨げられてしまう。
【００４７】
エアフィルタ３５の清掃が行われる際のフィルタ清掃ユニット４３の動作について説明する。ブラシ台座６７の回転動作に応じて清掃ブラシ６６のブラシ毛６９はエアフィルタ３５の前面に接触する。このとき、エアフィルタ３５の後面はブラシ受け７１の受け面７２に受け止められる。エアフィルタ３５はブラシ毛６９と受け面７２との間に挟まれる。第２従動ギア５２が駆動されると、エアフィルタ３５はフィルタレール３８、３９に沿って前後に移動する。エアフィルタ３５の移動に応じてブラシ毛６９はエアフィルタ３５の前面をなぞる。こうしてブラシ毛６９はエアフィルタ３５の前面から大きな塵埃を絡め捕る。絡め捕られた塵埃は上ダストボックス４５に収容される。
【００４８】
（４）第２実施形態に係る室内機の構成
図６に示されるように、導電材として、室内熱交換器１４に代えて本体２６内には集塵電極８３が配置されてもよい。集塵電極８３は着脱自在に本体２６に固定されればよい。集塵電極８３は、少なくとも部分的に送風ファン２４に向き合わせられる導電材の表面を有する。送風ファン２４から跳ね返された微粒子は集塵電極８３に付着することができる。しかも、取り外された集塵電極８３は洗浄されることができる。こうして集塵電極８３に付着した微粒子は洗い流されることができる。集塵電極８３はグラウンドに接続される。なお、集塵電極の極性は、少なくとも帯電電極が空気中の塵埃に帯電させる電極とは異なる極性であればよい。
【符号の説明】
【００４９】
１１  空気調和機、１４  集塵電極としての熱交換器（室内熱交換器）、２４  送風ファン、２６  筐体（本体）、７３  帯電電極、７６  導電材（被膜）、７７  グラウンド、７８  電圧源、７９  ドレンパン、８１  通路、８３  集塵電極。
【図１】
2015188785.tif 000003
【図２】
2015188785.tif 000004
【図３】
2015188785.tif 000005
【図４】
2015188785.tif 000006
【図５】
2015188785.tif 000007
【図６】
2015188785.tif 000008